(57)【特許請求の範囲】
【請求項１】
複数の貯水ブロックを積み重ねてなる貯水ブロック群を被包体で液密に被包した貯水ユニットと、前記貯水ユニット内に雨水を導入するための雨水導入管と、を少なくとも備え、地面下に埋設して用いられる地下貯水槽であって、
前記貯水ユニットが、
前記貯水ブロック群の少なくとも一部に、水平方向に延び、かつ作業者が入ることのできる大きさに形成されたメンテナンス用通路を有する通路構成部材を備えるとともに、前記メンテナンス用通路の内壁面には交換可能な透水性シートが設けられており、
前記雨水導入管が、前記通路構成部材の前記メンテナンス用通路内まで連通してなり、
前記雨水導入管内に流入した雨水が、前記メンテナンス用通路に流れ込み、前記透水性シートを通過して前記貯水ユニット内に貯留されることを特徴とする地下貯水槽。
【請求項２】
前記通路構成部材が、
前記貯水ブロックを整数倍してなる大きさに設定されていることを特徴とする請求項１に記載の地下貯水槽。
【請求項３】
前記通路形成部材が、耐荷重９０ＫＮ／ｍ2以上であることを特徴とする請求項２に記載の地下貯水槽。
【請求項４】
前記通路形成部材が、耐腐食性の材質からなることを特徴とする請求項２または３に記載の地下貯水槽。
【請求項５】
前記透水性シートが、充分な引張強さを有するとともに充分な伸び率を有する不織布であることを特徴とする請求項１〜４のいずれかに記載の地下貯水槽。
【請求項６】
前記地下貯水槽を地面下に埋設した状態において、
地面に設けられたマンホールから前記メンテナンス用通路内まで連通する連絡通路が設けられていることを特徴とする請求項１〜５のいずれかに記載の地下貯水槽。
【請求項７】
前記貯水ユニットが、前記貯水ユニット内に貯留された雨水を排水する排水路を有することを特徴とする請求項１〜６のいずれかに記載の地下貯水槽。
【請求項８】
前記貯水ユニットが、前記地下貯水槽内に貯水された雨水の汲み上げ用の取水手段を有することを特徴とする請求項１〜７のいずれかに記載の地下貯水槽。
【発明の詳細な説明】
【技術分野】
【０００１】
本発明は、雨水を地面下に貯留し必要の際に貯留された雨水を使用する、または貯留された雨水をゆっくりと排出することで、河川などにおける洪水発生防止に寄与することのできる地下貯水槽に関する。
【背景技術】
【０００２】
従来より、雨水を地中に埋設した地下貯水槽内に蓄え、必要の際にこの地下貯水槽内に貯められた雨水をポンプで汲み上げて使用するようにしたり、蓄えられた雨水をゆっくりと排出することで、河川などにおける洪水発生防止に寄与するようにした地下貯水槽が知られている。
【０００３】
このような地下貯水槽では、雨水を貯留する際、雨水とともに流れてくる砂や泥などの不要物の除去が行われており、例えば雨水の導入経路の入口や途中にフィルターを備えて不要物の除去が行われている。
【０００４】
また別の除去方法としては、特許文献１に開示されているように、砂や泥などの不要物が混入した状態の雨水をまずは地下貯水槽内に流れ込むようにし、雨水中の不要物が地下貯水槽の下方に設けられた窪み内に集められるよう構成し、一定の期間毎にこの集められた不要物を除去することが行われている。
【先行技術文献】
【特許文献】
【０００５】
【特許文献１】特開２００４−１９１２２号公報
【発明の概要】
【発明が解決しようとする課題】
【０００６】
しかしながら、まず雨水の導入経路の入口や途中にフィルターを備える不要物の除去方法は、大雨などで急に大量の雨水が流れ込んだ場合には、フィルターが不要物によって目詰まりを起こし、上手く雨水が貯留されない場合がある。これを解決するために大型のフィルターを用意することも考えられるが、このようにすると施工費用が嵩んでしまうこととなり、また埋設現場の広さに制限が有る場合には設置そのものができない場合もある。
【０００７】
一方、地下貯水槽の下方に設けられた窪み内に不要物を集め、これを一定の期間毎に除去する方法は、まず地下貯水槽よりも下方に窪みを備えるため、その分通常よりもさらに大きな埋設穴を設ける必要があり、こちらも施工費用が嵩んでしまうこととなる。
【０００８】
また、不要物の除去作業を行う場合には、不要物に高圧洗浄水を噴射しこれを吸引して除去することを想定したものであるため、除去作業が煩雑で有り非効率的である。
本発明は、このような現状に鑑み、施工費用を抑えることができ、埋設現場の広さに制限があっても確実に雨水内の不要物を除去でき、しかも除去作業を効率的に行うことのできる地下貯水槽を提供することを目的とする。
【課題を解決するための手段】
【０００９】
本発明は、前述したような従来技術における課題及び目的を達成するために発明されたものであって、
本発明の地下貯水槽は、
複数の貯水ブロックを積み重ねてなる貯水ブロック群を被包体で液密に被包した貯水ユニットと、前記貯水ユニット内に雨水を導入するための雨水導入管と、を少なくとも備え、地面下に埋設して用いられる地下貯水槽であって、
前記貯水ユニットが、
前記貯水ブロック群の少なくとも一部に、水平方向に延び、かつ作業者が入ることのできる大きさに形成されたメンテナンス用通路を有する通路構成部材を備えるとともに、前記メンテナンス用通路の内壁面には交換可能な透水性シートが設けられており、
前記雨水導入管が、前記通路構成部材の前記メンテナンス用通路内まで連通してなり、
前記雨水導入管内に流入した雨水が、前記メンテナンス用通路に流れ込み、前記透水性シートを通過して前記貯水ユニット内に貯留されることを特徴とする。
【００１０】
このように構成すれば、雨水内の砂や泥などの不要物をメンテナンス用通路内に留めることができ、砂や泥などの不要物が取り除かれた雨水だけを貯留することができる。
また、メンテナンス用通路内に砂や泥が堆積しても、メンテナンス用通路の面積、すなわち透水性シートによるフィルターとして機能する面積が広範囲であるために、雨水を確実に貯留できるだけの高い効率を長期間維持することができ、従来のようにフィルターの目詰まりによって短時間で貯留効率が低下するような問題も生ずることがないものである。
【００１１】
さらに、メンテナンス用通路内に堆積した砂や泥などの不要物は、透水性シートを取り外して新しく取り替えるだけで確実に除去できるため、効率良く除去作業を行うことができる。
【００１２】
また、本発明の地下貯水槽は、
前記通路構成部材が、
前記貯水ブロックを整数倍してなる大きさに設定されていることを特徴とする。
【００１３】
このように構成されていれば、貯水ブロックと通路構成部材とを組み合わせるだけで簡単に所望の埋設現場に合わせた矩形を形成することができ、如何なる大きさの貯留槽であっても簡単に製造することができる。
【００１４】
また、本発明の地下貯水槽は、
前記通路形成部材が、耐荷重９０ＫＮ／ｍ2以上であることを特徴とする。
このような強度を有していれば、地下貯水槽の真上の地面を例えばトラックなどの車両が通過しても破損する恐れがなく、正常に地下貯水槽を維持することができる。
【００１５】
また、本発明の地下貯水槽は、
前記通路形成部材が、耐腐食性の材質からなることを特徴とする。
このように通路形成部材が耐腐食性の材質からなれば、雨水に長期間浸っても一定の強度を長期間に亘って維持することができる。
【００１７】
また、本発明の地下貯水槽は、
前記透水性シートが、充分な引張強さを有するとともに充分な伸び率を有する不織布であることを特徴とする。
【００１８】
このような透水性シートであれば、確実に雨水中の砂や泥などの不要物をメンテナンス用通路内に留めることができ、砂や泥などの不要物が取り除かれた雨水だけを貯留することができる。さらに持続的な引張力が加わっても破損が生ずることがない。
【００１９】
また、本発明の地下貯水槽は、
前記地下貯水槽を地面下に埋設した状態において、
地面に設けられたマンホールから前記メンテナンス用通路内まで連通する連絡通路が設けられていることを特徴とする。
このように構成されていれば、メンテナンス用通路へ簡単に到達することができるため、不要物の除去作業に要する作業効率を高めることができる。
【００２０】
また、本発明の地下貯水槽は、
前記貯水ユニットが、前記貯水ユニット内に貯留された雨水を排水する排水路を有することを特徴とする。
このように構成されていれば、地下貯水槽内の雨水が満水になって溢れ出してしまうことを防止することができる。
【００２１】
また、本発明の地下貯水槽は、
前記貯水ユニットが、前記地下貯水槽内に貯水された雨水の汲み上げ用の取水手段を有することを特徴とする。
【００２２】
このように構成されていれば、例えば緊急時において砂や泥などの不要物の取り除かれた雨水を有効に利用することができる。
【発明の効果】
【００２３】
本発明によれば、メンテナンス用通路の内壁面に透水性シートを設け、透水性シートを介して雨水を貯留するようになっているため、従来よりも施工費用を抑えることができ、埋設現場の広さに制限があっても確実に雨水内の不要物を除去でき、しかも除去作業を効率的に行うことのできる地下貯水槽を提供することができる。
【図面の簡単な説明】
【００２４】
【図１】図１は、本発明の実施形態における地下貯水槽の具体的な埋設状態を示し、メンテナンス用通路を縦断面方向から見た概略図である。
【図２】図２は、本発明の実施形態における地下貯水槽の具体的な埋設状態を示し、メンテナンス用通路を横断面方向から見た概略図である。
【図３】図３は、本発明の実施形態の地下貯水槽における貯水ブロック群と通路構成部材の斜視図である。
【図４】図４は、本発明の別の実施形態の地下貯水槽における貯水ブロック群と通路構成部材の斜視図である。
【発明を実施するための形態】
【００２５】
以下、本発明の実施の形態（実施例）を図面に基づいてより詳細に説明する。
本発明の地下貯水槽は、雨水を地面下に貯留し必要の際に貯留された雨水を汲み上げて使用したり、貯留された雨水をゆっくりと排出することで、河川などにおける洪水発生防止に寄与するものである。
【００２６】
＜地下貯水槽１０＞
本実施形態における地下貯水槽１０は、図１に示したように、複数の貯水ブロック２２ａを積み重ねてなる貯水ブロック群２２を被包体２４で液密に被包した貯水ユニット２０と、家屋の屋根や地面７０に落下した雨水を貯水ユニット２０内に導く雨水導入管４０と、貯水ユニット２０内に貯留された雨水を、取水管５２を介して汲み上げる取水手段５０と、貯水ユニット２０が満水になった際に、雨水を流出させる排水路６０を少なくとも備えた構造となっている。
【００２７】
ここで貯水ブロック２２ａは、例えば地面７０から加わる乗用車やトラックなどの車両の加重に耐え得る強度を有するとともに、適度な空隙によって所望の貯水能力を備え、腐食が生じないよう構成されたものであれば如何なるものでも良いものである。
【００２８】
このような貯水ブロック２２ａの具体的な例としては、例えば秩父ケミカル株式会社製のプラダムくん（登録商標）が挙げられる。
また貯水ブロック群２２を被包する被包体２４としては、少なくとも漏水防止用の遮水シート（図示せず）と、遮水シートの破れ防止用の保護シート（図示せず）とを、交互に繰り返し積層して成る多層構造のものが好ましい。
【００２９】
地下貯水槽１０の基本的な構成および材質については、本願発明の出願人により既に出願されている特願２０１１−２２００９７号に記載のものが好ましく採用され得る。
そして本願発明の地下貯水槽１０については、特に貯水ユニット２０が特徴的な構成を有している。以下、この特徴的な貯水ユニット２０について説明する。
【００３０】
＜貯水ユニット２０＞
本願発明の貯水ユニット２０は、図１に示したように貯水ブロック群２２の少なくとも一部に、水平方向に延びるメンテナンス用通路３２を有する通路構成部材３０を備えている。
【００３１】
そして、この通路構成部材３０のメンテナンス用通路３２の内壁面には、透水性シート３４が設けられている。
さらに上記した雨水導入管４０が、通路構成部材３０のメンテナンス用通路３２内まで連通してなり、これにより雨水導入管４０内に流入した雨水は、まずは全てメンテナンス用通路３２に流れ込み、透水性シート３４を通過して貯水ユニット２０内に貯留されるよう構成されている。
【００３２】
このような構成を有することにより、雨水中に砂や泥などの不要物が混入していた場合には、メンテナンス用通路３２の透水性シート３４上にこれら不要物が堆積し、貯水ブロック群２２側へは不要物が入らないようになっている。
【００３３】
なお、このような効果を得るうえで、透水性シート３４は充分な引張強さを有するとともに充分な伸び率を有する不織布であることが好ましい。
このような不織布としては、例えばポリエステル長繊維不織布やポリエステル短繊維不織布を用いることが好ましい。
【００３４】
ここで、透水性シート３４としてポリエステル長繊維不織布を用いた場合には、引張強さが２０ＫＮ／ｍ以上（ＪＩＳ規格  Ｌ１９０８に準拠）であり、伸び率が６０％以上（ＪＩＳ規格  Ｌ１９０８に準拠）であることが好ましい。
【００３５】
さらに、透水性シート３４としてポリエステル短繊維不織布を用いた場合には、引張強さが１００Ｎ／ｃｍ2以上（ＪＩＳ規格  Ｌ３２０４に準拠）であり、伸び率が５０％以上（ＪＩＳ規格  Ｌ３２０４に準拠）であることが好ましい。
【００３６】
このような透水性シート３４は、メンテナンス用通路３２の内壁面の全てに設けられることが好ましく、これによりメンテナンス用通路３２内に砂や泥が堆積しても、透水性シート３４の面積が広範囲であるために、雨水を確実に貯留できるだけのフィルター機能を長期間維持することができ、従来のようにフィルターの目詰まりによって短時間でフィルター機能が低下し雨水の貯留がし難くなるような問題も生ずることがない。また、持続的な引張力が加わっても破損が生ずることがない。
【００３７】
なお、メンテナンス用通路３２の天面まで雨水が貯留されない構成をした場合には、天面部分へ透水性シート３４を設ける必要はなく、適宜必要な範囲を選択して透水性シート３４を設ければ良い。
【００３８】
そして、メンテナンス用通路３２の透水性シート３４上に堆積した不要物を除去する際には、図２に示したように地面７０に設けられたマンホール８０から連絡通路８２を介してメンテナンス用通路３２内に入り、作業者が透水性シート３４を取り外して新たなものと交換することで、効率良く除去作業を行うことができる。
【００３９】
メンテナンス用通路３２の形状は特に限定されるものではなく、例えば断面四角形、または断面円形などとすることができる。また断面の大きさは、少なくとも作業者が入って除去作業が行えるだけの大きさ以上であれば、特に限定されるものではないが、例えば断面四角形の場合には縦横がそれぞれ６０ｃｍ程度、断面円形の場合には直径が６０ｃｍ程度であることが好ましい。
【００４０】
ここで透水性シート３４の着脱方法については特に限定されるものではなく、例えば市販の固定具、粘着材、粘着テープなどを用いて着脱することができる。中でも作業効率を高める上で、例えば農業用ビニールハウスのフィルムをパイプに取り付ける際に用いられるパッカー（図示せず）を用い、これを通路構成部材３０の骨格部分に取り付けて用いれば簡単に透水性シート３４の脱着ができ好ましい。
【００４１】
また貯水ブロック群２２と通路構成部材３０については、図３に示したように、通路構成部材３０が、貯水ブロック２２ａを整数倍してなる大きさに設定されている。
したがって、貯水ブロック２２ａと通路構成部材３０とを組み合わせるだけで簡単に所望の埋設現場に合わせた矩形を形成することができ、如何なる大きさの貯水ユニット２０であっても簡単に製造することができる。
【００４２】
なお、本実施例においては、貯水ブロック２２ａの並べられた範囲の全てに至るまで、すなわち並べられた貯水ブロック２２ａの一端部から他端部まで通路構成部材３０が設けられているが、これに限定されるものではなく、例えば図４に示したように一部の範囲だけに通路構成部材３０が設けられるようにしても良いものである。
【００４３】
このような通路構成部材３０は、耐荷重が９０ＫＮ／ｍ2以上であることが好ましく、より好ましくは１３０ＫＮ／ｍ2以上である。
このような強度を有していれば、前述した貯水ブロック２２ａと同様、貯水ユニット２０上の地面７０を例えば乗用車やトラックなどの車両が通過しても、通過時における荷重に耐えることができる。また通路構成部材３０は、耐腐食性の材質からなることが好ましく、例えば樹脂、ステンレス、表面を防錆処理した鋳鉄などを用いて製造することができる。
【００４４】
通路構成部材３０を構成する骨格部分は、透水性シート３４の着脱の際にパッカーなどの固定具の取り付け箇所として好適であるため、用いる固定具に合わせて、骨格部分の形状を適宜変更するようにすることが好ましい。
【００４５】
以上、本発明の好ましい実施の態様を説明してきたが、本発明はこれに限定されることはなく、例えば、本実施形態における地下貯水槽１０では、通路構成部材３０が貯水ブロック群２２の最上段に位置するよう構成されているが、最下段や中段に位置するようにしても良く、本発明の目的を逸脱しない範囲で種々の変更が可能なものである。
【符号の説明】
【００４６】
１０・・・地下貯水槽
２０・・・貯水ユニット
２２・・・貯水ブロック群
２２ａ・・貯水ブロック
２４・・・被包体
３０・・・地面
３２・・・メンテナンス用通路
４０・・・雨水導入管
４２・・・流入口
５０・・・取水手段
５２・・・取水管
６０・・・排水路
７０・・・地面
８０・・・マンホール
８２・・・連絡通路
【図１】
0005931568.tif 000002
【図２】
0005931568.tif 000003
【図３】
0005931568.tif 000004
【図４】
0005931568.tif 000005